(57)【要約】【課題】視聴者に、以前視聴したコンテンツを短時間で効率良く思い出せることが可能な映像音声再生装置、映像音声再生方法及び制御プログラムを提供する。【解決手段】コンテンツ再生部（２００〜３３０）はコンテンツを再生し、さらにコンテンツの再生を停止する。ＨＤＤ１５０はコンテンツ上の再生停止位置を記憶する。ＣＰＵ１００は、コンテンツ再生部（２００〜３３０）により当該コンテンツの再生を再開する場合に、前回の再生時からの経過時間に応じて、ＨＤＤ１５０に記憶された停止位置以前のコンテンツの再生方法を決定する。【選択図】図１
2007323704.tif 000002
【特許請求の範囲】
【請求項１】
コンテンツを再生する再生手段と、
当該コンテンツの再生を停止する再生停止手段と、
当該コンテンツ上の再生停止位置を記憶する再生停止位置記憶手段と、
前記再生手段により当該コンテンツの再生を再開する場合に、前回の再生時からの経過時間に応じて、前記再生停止位置記憶手段に記憶された停止位置以前のコンテンツの再生方法を決定する再生方法決定手段と
を備えることを特徴とする映像音声再生装置。
【請求項２】
日時を計る計時手段と、
前記再生手段によりコンテンツの再生を開始した日時、前記再生停止手段によりコンテンツの再生を停止した日時、又はこれらの間の所定の日時のいずれかの日時を記憶する再生日時記憶手段と、
前記再生手段により当該コンテンツの再生を再開する場合に、前記時計手段より得られた現在日時と前記再生日時記憶手段に記憶された前回の再生日時とから経過時間を計算する経過時間計算手段とを備え、
前記再生方法決定手段は、前記経過時間計算手段により計算された経過時間に応じて、前記再生停止位置記憶手段により記憶された停止位置以前のコンテンツの再生方法を変更することを特徴とする請求項１に記載の映像音声再生装置。
【請求項３】
前記再生方法決定手段は、前記経過時間計算手段により計算された経過時間に応じて、前記再生停止位置記憶手段により記憶された停止位置以前のコンテンツの再生開始位置又は再生時間を変更することを特徴とする請求項２に記載の映像音声再生装置。
【請求項４】
前記再生停止位置記憶手段により記憶された停止位置以前のコンテンツの再生中止の指示を入力する中止入力手段を備え、
前記再生方法決定手段は、前記中止入力手段により再生中止の指示が入力されたときには、前記再生手段による、前記再生停止位置記憶手段により記憶された停止位置以前のコンテンツの再生を中止させ、前記再生停止位置記憶手段により記憶された停止位置よりコンテンツの再生を行わせることを特徴とする請求項２又は３に記載の映像音声再生装置。
【請求項５】
前記経過時間計算手段により計算された経過時間に応じて、前記再生停止位置以前のコンテンツに関する再生パターンを設定する設定手段を備えることを特徴とする請求項２乃至４のいずれか１項に記載の映像音声再生装置。
【請求項６】
コンテンツを再生する再生工程と、
当該コンテンツの再生を停止する再生停止工程と、
当該コンテンツ上の再生停止位置を記憶媒体に記憶する再生停止位置記憶工程と、
前記再生工程により当該コンテンツの再生を再開する場合に、前回の再生時からの経過時間に応じて、前記再生停止位置記憶工程で記憶された停止位置以前のコンテンツの再生方法を決定する再生方法決定工程と
を備えることを特徴とする映像音声再生方法。
【請求項７】
コンピュータに
コンテンツを再生する再生工程と、
当該コンテンツの再生を停止する再生停止工程と、
当該コンテンツ上の再生停止位置を記憶媒体に記憶する再生停止位置記憶工程と、
前記再生工程により当該コンテンツの再生を再開する場合に、前回の再生時からの経過時間に応じて、前記再生停止位置記憶工程で記憶された停止位置以前のコンテンツの再生方法を決定する再生方法決定工程と
を実行させることを特徴とする制御プログラム。
【発明の詳細な説明】
【技術分野】
【０００１】
本発明は、テレビ番組などを録画した映像を再生するための映像音声再生装置、映像音声再生方法及び制御プログラムに関する。
【背景技術】
【０００２】
ＶＴＲ（ビデオテープレコーダ）の普及に伴い、テレビ番組を放送時間にリアルタイムで視聴するスタイルから、テレビ番組を一旦録画をして、自分の都合のいい時間に録画されたテレビ番組を視聴するタイムシフト視聴のスタイルが広まってきている。更に、ＨＤＤ内蔵レコーダ（以下、ＨＤＤレコーダという）の普及によりこのタイムシフト視聴のスタイルは急速も広まっている。ＨＤＤレコーダは、番組データを録画するための記憶容量が大きく、長時間のテレビ番組の記録が可能である。最近の機種は、予約録画の操作が非常に簡単にできるようになっている。そして、ＶＴＲに比較してＨＤＤレコーダは、録画番組の選択が容易であり、瞬時に希望の番組の再生を始められる。このために、ＨＤＤレコーダに録画されるテレビ番組が増え、蓄積された未視聴番組が溜まっていくという状況になってきている。
【０００３】
このように、ＨＤＤレコーダにおいて、蓄積された未視聴番組が溜まっていくという状況下で、短時間でも時間があるときに未視聴番組を視聴し、途中で再生を停止し、続きはまた別の機会に再生視聴するという細切れ再生を行う視聴者が増えている。
【０００４】
しかしながら、このような細切れ再生を行っていると、前回視聴し停止したシーンから再生を再開しても、以前に視聴したストーリーの流れやあらすじなどを忘れてしまい、すぐに、視聴する番組の内容に入り込めないという問題があった。
【０００５】
このような問題を解消するために、特許文献１の映像支援システムでは、映像再生停止後、ダイジェスト要求があったときにダイジェスト映像および映像再生中断箇所以降の映像を供給している。ダイジェスト映像は、入力された番組をライブラリに登録する際に、代表映像及びこれの重要度ランクを重要度抽出プログラムによりあらかじめ作成しておく。そして、映像再生の中断箇所が映像全体のどの部分であっても、ダイジェスト映像の再生合計時間が既定値を超えないように重要度ランクに従い代表画像を抽出する。
【特許文献１】特開平０８−２９２９６５号公報
【発明の開示】
【発明が解決しようとする課題】
【０００６】
しかしながら、特許文献１の映像支援システムでは、映像再生の中断箇所によらずに、ダイジェスト映像の再生合計時間を既定値以下にする。よって、映像再生の中断時からの経過経過を考慮していないために、視聴者の記憶の状態によらずに、ダイジェスト映像を不要に長時間再生するという欠点がある。
【０００７】
本発明の目的は、視聴者に、以前視聴したコンテンツを短時間で効率良く思い出せることが可能な映像音声再生装置、映像音声再生方法及び制御プログラムを提供することにある。
【課題を解決するための手段】
【０００８】
上記目的を達成するために、請求項１の映像音声再生装置は、コンテンツを再生する再生手段と、当該コンテンツの再生を停止する再生停止手段と、当該コンテンツ上の再生停止位置を記憶する再生停止位置記憶手段と、前記再生手段により当該コンテンツの再生を再開する場合に、前回の再生時からの経過時間に応じて、前記再生停止位置記憶手段に記憶された停止位置以前のコンテンツの再生方法を決定する再生方法決定手段とを備えることを特徴とする。
【発明の効果】
【０００９】
本発明によれば、再生手段によりコンテンツの再生を再開する場合に、前回の再生時からの経過時間に応じて、記憶された停止位置以前のコンテンツの再生方法が決定される。これにより、視聴者に、以前視聴したコンテンツを短時間で効率良く思い出せることが可能となる。
【発明を実施するための最良の形態】
【００１０】
以下、図面を参照して本発明の実施の形態を説明する。
【００１１】
図１は、本発明の実施の形態にかかる映像音声再生装置の構成を示す図である。
【００１２】
同図において、映像音声再生装置は、デジタルＴＶ１０、リモコン３０及びアンテナ４０を備えている。
【００１３】
デジタルＴＶ１０は、デジタルＴＶ１０全体を制御するＣＰＵ１００、ＣＰＵ１００のプログラムやデータを格納するＲＯＭ／ＲＡＭ部１１０、操作部１２０、ＩＣカード制御部１３０、蓄積メディアであるＨＤＤとのインターフェースであるＨＤＤインターフェース部１４０、ＨＤＤ（ハードディスクドライブ）１５０、ＣＰＵバス１６０、リモコン受光部１７０、日時を計時するための計時部（リアルタイムクロック）１８０、チューナー部２００、チューナー部２００により受信したデジタルデータのデスクランブル部２１０、ビデオデータとオーディオデータとデータストリームとを分離するデマルチプレクサ部２４０、ビデオデータデコーダ部２５０、オーディオデータデコーダ部２６０、データストリーム処理部２７０、画面構成部２８０、表示制御部２９０、表示制御部２９０に含まれる表示用メモリ３００、音声処理部３１０、画像表示部３２０、及び音声出力部３３０を備えている。
【００１４】
リモコン受光部１７によりチャンネルとして選択された、アンテナ４０より入力された高周波信号は、チューナー部２００でスクランブルされたデータ信号として受信される。受信されたスクランブルされたデータ信号は、デスクランブル部２１０でスクランブルを解除され、ＭＰＥＧのデータとなり、デマルチプレクサ部２４０によりビデオデータ、オーディオデータ、ストリームに分離される。
【００１５】
分離されたそれぞれのデータは専用の処理部に送られる。ビデオデータはビデオデコーダ部２５０によりＭＰＥＧデータ伸張され、オーディオデータはオーディオデコーダ部２６０によりオーディオデータ伸張され、また、データストリームはデータストリーム処理部２７０により処理される。
【００１６】
ビデオデコード部２５０によりデコードされたビデオデータは、データストリーム処理部２７０により処理されたストリームデータを画面構成部２８０により表示用に構成したデータとともに表示制御部２９０に入力される。これらのビデオデータ及び表示用に構成したデータは、表示用メモリ３００を介して画像表示部３２０によって表示される。また同時に、オーディオデコード部２６０によりデコードされたオーディオデータは音声処理部３１０により処理されて音声出力部３３０により出力される。
【００１７】
また、蓄積された映像コンテンツを視聴する際には、ＣＰＵ１００の制御により、ＨＤＤインターフェース１４０を介してＨＤＤ１５０に蓄積されている映像コンテンツがＨＤＤ１５０より読み出される。この読み出された映像コンテンツは、ＨＤＤインターフェース１４０及びＣＰＵバス１６０を介してデマルチプレクサ２４０に送られる。映像コンテンツはデマルチプレクサ２４０によりビデオデータ、オーディオデータ、データストリームに分けられ、それぞれのデータに対応した処理が行われる。
【００１８】
ユーザは、受信したＴＶデータ又はＨＤＤ１５０に蓄積された映像コンテンツを画像表示部３２０及び音声出力部３３０より視聴する。
【００１９】
図１において、ＨＤＤ１５０、画像表示部３２０又は音声出力部３３０がデジタルＴＶ１０の外部に設けられていてもよい。この場合、ＨＤＤ１５０はＨＤＤインターフェース１４０と、画像表示部３２０は表示制御部２９０と、音声出力部３３０は音声処理部３１０と、それぞれネットワーク等を介して接続する。
【００２０】
図２は、デジタルＴＶ１０で実行される映像再生処理を示すフローチャートである。本処理はＣＰＵ１００の制御により実行される。
【００２１】
まず、ＣＰＵ１００は、リモコン３０又はデジタルＴＶ１０に設けられた不図示の操作ボタン等から再生要求を受信したか否かを判定する（ステップＳ１１０）。
【００２２】
ステップＳ１１０において、再生要求を受信していない場合には、ＣＰＵ１００は、当該判定処理を繰り返す。一方、再生要求を受信した場合には、ＣＰＵ１００は、再生要求により指定された映像コンテンツの以前の再生停止位置及び再生日時等の情報をＨＤＤ１５０より読み出す（ステップＳ１２０）。
【００２３】
次いで、ＣＰＵ１００は、ＨＤＤ１５０から読み出されて情報に基づいて、指定された映像コンテンツの先頭から再生を行うか否かを判定する（ステップＳ１３０）。
【００２４】
ステップＳ１３０において、指定された映像コンテンツの先頭から再生する場合（例えば、過去に再生を行ったことがない場合）には、コンテンツ再生部が、コンテンツの先頭より通常再生を実行する（ステップＳ１８０）。ここで、コンテンツ再生部は、チューナー部２００、デスクランブル部２１０、デマルチプレクサ部２４０、ビデオデータデコーダ部２５０、オーディオデータデコーダ部２６０、データストリーム処理部２７０、及び画面構成部２８０を備えている。さらに、表示制御部２９０、表示用メモリ３００、音声処理部３１０、画像表示部３２０、及び音声出力部３３０を備えている。
【００２５】
ステップＳ１３０において、指定された映像コンテンツの先頭から再生しない場合には、ＣＰＵ１００が、以前に視聴した部分の映像コンテンツにダイジェスト再生モードが設定されているか否かを判定する（ステップＳ１３５）。
【００２６】
ステップＳ１３５において、ダイジェスト再生モードが設定されていない場合には、コンテンツ再生部が、以前に再生を停止した位置からの通常再生を行う（ステップＳ１８０）。一方、ダイジェスト再生モードが設定されている場合には、ダイジェスト再生を行うための処理が実行される。
【００２７】
まず、計時部１８０が前回再生を行った日時（再生開始日時、再生停止日時、又は両者の間の日時のいずれか）からの経過時間を計算する（ステップＳ１４０）。ＣＰＵ１００は、ステップＳ１４０で計算された経過時間の長さに応じて、既視聴部分の映像コンテンツに対する再生パターンを設定する（ステップＳ１５０）。この再生パターンの決定方法に関しては、後述する。
【００２８】
次に、コンテンツ再生部が、ステップＳ１５０で設定された既視聴部分の映像コンテンツに対する再生パターンに従って再生を開始する（ステップＳ１６０）。
【００２９】
その後、ＣＰＵ１００は、操作部１２０を介して既視聴部分の映像コンテンツに対する再生中止の指示が入力がされたか否かを判定する（ステップＳ１６２）。
【００３０】
ステップＳ１６２において、再生中止の指示が入力がされた場合には、コンテンツ再生部は、既視聴部分の映像コンテンツの再生を中止する（ステップＳ１６４）。ＣＰＵ１００は、映像コンテンツの再生位置を、前回再生を中断した停止位置に移動させ（ステップＳ１６６）、コンテンツ再生部が前回停止位置からの通常再生を実行する（ステップＳ１８０）。
【００３１】
ステップＳ１６２において、再生中止の指示が入力がされなかった場合には、ＣＰＵ１００は、既視聴部分の映像コンテンツに対する再生が終了し、映像コンテンツが前回再生を中断した停止位置まで再生されたか否かを判定する（ステップＳ１７０）。ステップＳ１６２及びステップＳ１７０の判定は、いずれかがＹＥＳとなるまで繰り返される。
【００３２】
ステップＳ１７０において、映像コンテンツが前回再生を中断した停止位置まで再生された場合には、コンテンツ再生部が、引き続き、今回再生部分として通常再生を行う（ステップＳ１８０）。
【００３３】
ステップＳ１８０の通常再生中に、ＣＰＵ１００は、リモコン３０又はデジタルＴＶ１０に設けられた不図示の操作ボタン等から再生停止要求を受信したか否か、及び再生している映像コンテンツの再生が終了したか否かを判定する（ステップＳ１９０）。
【００３４】
ステップＳ１９０において、再生停止要求を受信した場合又は再生している映像コンテンツの再生が終了した場合は、コンテンツ再生部は再生している映像コンテンツの再生を停止する（ステップＳ２００）。ＣＰＵ１００は、映像コンテンツの再生を停止した位置及び停止日時をＨＤＤ１５０に対して映像コンテンツの情報として記録し（ステップＳ２１０）、本処理を終了する。
【００３５】
図３は、映像コンテンツの再生中断から再生再開するまでの経過時間と、この経過時間に応じた既に視聴した部分の映像コンテンツに対する再生方法との対応関係を含むテーブルを示す図である。
【００３６】
まず、経過時間が１日以内の場合、視聴者が以前に視聴した内容をほとんど忘れていないと想定し、映像コンテンツの再生の中断位置から１０秒前に戻り、ここから等速で再生する。これにより、視聴者は、以前に視聴した内容を記憶から呼び戻し、かつ、映像コンテンツの再生の中断位置までの映像コンテンツのあらすじをほぼ正確に思い出すことができる。
【００３７】
また、経過時間が１日〜３日の場合、視聴者は経過時間が１日以内の場合に比べて、少し忘れている度合が多いと想定し、映像コンテンツの再生の中断位置から１５秒前に戻り、再生を実行する。この場合、表示制御部２９０及び音声処理部３１０が、再生スピード変換処理を実行し、通常再生の１.５倍速で映像コンテンツの再生を行う。これにより、音声も１.５倍速で再生される。
【００３８】
また、映像コンテンツの再生の中断位置から１５秒前に戻り、１.５倍速の再生を行うために、再生時間は１０秒となる。即ち、経過時間が１日以内の場合と経過時間が１日〜３日の場合とは、以前に視聴した部分の映像コンテンツに対する再生時間の合計、即ち、通常再生に至るまでに必要な再生時間の合計は同一になる。
【００３９】
さらに、経過時間が３日〜１週間の場合は、視聴者は以前に視聴したときの記憶がだいぶ薄れているために、経過時間が３日以内の場合と比べて、映像コンテンツの再生の中断位置からより多く前に戻って、映像コンテンツのあらすじを思い出す必要がある。
【００４０】
そこで、経過時間が３日〜１週間の場合は、映像コンテンツの再生の中断位置から５分前に戻り、８倍速再生を行う。そして、映像コンテンツの再生の中断位置から１５秒前に到達したときに、上記同様に、音声を含む映像コンテンツの１.５倍速の再生を行う。これにより以前に視聴した部分の映像コンテンツに対する再生合計時間は約４６秒となる。
【００４１】
尚、映像コンテンツを８倍速以上のスピードで再生する場合には、音声の再生は実行しない。
【００４２】
経過時間が１週間〜１ヶ月の場合は、視聴者は以前に視聴したときの記憶がだいぶ薄れているために、経過時間が３日〜１週間の場合と同様に、映像コンテンツのあらすじを思い出す必要がある。
【００４３】
そこで、経過時間が１週間〜１ヶ月の場合は、映像コンテンツの再生の中断位置から１０分程度前に戻り、８倍速再生を行う。そして、映像コンテンツの再生の中断位置から１５秒前に到達したときに、上記同様に、音声を含む映像コンテンツの１.５倍速の再生を行う。これにより、以前に視聴した部分の映像コンテンツに対する合計再生時間は約８３秒となる。
【００４４】
経過時間が１ヶ月以上の場合、視聴者は映像コンテンツを途中まで視聴しているとはいえ、ほとんどそのあらすじの記憶はなくなっているために、映像コンテンツの先頭から再生する必要がある。
【００４５】
そこで、経過時間が１ヶ月以上の場合は、番組の先頭より１６倍速で再生する。そして、映像コンテンツの再生の中断位置から３０秒前に到達したときに、音声を含む映像コンテンツの等倍速の再生を行う。これにより、比較的短時間に記憶を呼び戻し、映像コンテンツのあらすじを思い出すことができる。
【００４６】
図３のテーブルは、ＲＯＭ／ＲＡＭ部１１０又はＨＤＤ１５０に格納されて、ＣＰＵ１００に読み出されて、映像再生の制御に使用される。また、操作部１２０を介してテーブルの内容を適宜書き換えることも可能である。
【００４７】
図４は、映像コンテンツの再生方法の具体例を説明する図である。
【００４８】
図４では、一例として、６０分の映像コンテンツを２０分まで視聴し、再生を停止した状態で、５日経過したときに、次に再生を再開するときの再生パターンに関して説明を行う。ここで、横軸は全て時間である。
【００４９】
図４（Ａ）は、６０分の映像コンテンツを模式的に示している。図４（Ｂ）は、６０分の映像コンテンツを視聴して、最初から２０分の位置まで視聴して停止した状態を示している。図４（Ｃ）は、図４（Ｂ）の状態から５日が経過し、再度当該映像コンテンツを視聴をしようとしたときの再生パターンを示している。以前に視聴した日時より５日経過しているために、図３に示すように、以前に視聴し停止した位置の５分前より映像コンテンツを８倍速で再生し、１５秒前より１.５倍速で音声付きの再生を行う。そして、停止位置まで再生が進んできたら、以降は通常再生を行う。
【００５０】
図４（Ｄ）は、図４（Ｃ）の状態において、更に、この再生パターンにて当該映像コンテンツの再生を行っている最中に、既視聴部分の再生中止の指示が入力されたときの再生動作の状態を示している。図４（Ｄ）では、図４（Ｃ）と同様に、再生パターンは、以前に視聴し停止した位置の５分前より映像コンテンツを８倍速で再生する。そして、この再生の途中で、既視聴部分の再生中止の指示が入力された時点で、既視聴部分の再生を中止し、再生位置を以前に視聴し停止した停止位置に移動し、この停止位置より通常の再生を開始する。
【００５１】
尚、図３を使って説明した、経過時間に応じた映像コンテンツの再生方法は、これに限るものではない。例えば、映像コンテンツの８倍速再生や１６倍速再生等ではなく、映像コンテンツに含まれるシーンチェンジを検出して再生方法を変更してもよい。この場合、再生方法として、検出された複数のシーンチェンジから１秒づつ表示を行う方法、検出された複数のシーンチェンジの何回かごとに所定時間再生を行う方法、検出されたシーンチェンジの回数に応じて再生時間を変える方法等を採用できる。
【００５２】
図５は、映像コンテンツの早送り再生方法を説明する図である。
【００５３】
図５の上段は、映像コンテンツに含まれる複数のフレームを模式的に示し、下段はフレーム間引きを行い、一定時間毎に連続する一部の映像を再生する状態を示す。ここでは、例えば１秒間の映像に２０個のフレームが含まれているものとする。
【００５４】
同図に示すように、例えば、８倍速再生を行う際に、８秒間中の連続した１秒間の表示を行う。これを８秒毎に繰り返すことで、８倍速再生を実現する。４秒間中の連続した０．５秒間の表示を４秒毎に繰り返すことで、８倍速再生を実現することもできる。
【００５５】
この再生方法は、視聴者が定義することも可能である。視聴者が既視聴部分の再生パターンを定義する場合には、操作部１２０を介してテーブルをＲＯＭ／ＲＡＭ部１１０又はＨＤＤ１５０から読み出し、図３のテーブルの２行目以降に、必要なパラメータを入力する。
【００５６】
以上詳細に説明したように、本実施の形態によれば、コンテンツ再生部により映像コンテンツの再生を再開する場合に、ＣＰＵ１００が、前回の再生時からの経過時間に応じて、ＨＤＤ１５０に記憶された停止位置以前の映像コンテンツの再生方法を決定する。これにより、視聴者に、以前視聴した映像コンテンツを短時間で効率良く思い出せることが可能となる。
【００５７】
また、操作部１２０でＨＤＤ１５０に記憶された停止位置以前の映像コンテンツの再生を中止するための指示を入力できる。これにより、既視聴部分の再生を行っている途中で、視聴者が以前に視聴した内容の記憶が戻ってきたと判断したときには、この既視聴部分の再生を中止し、すぐに以前に再生を中断した位置から、通常再生を行うことができる。また、以前に視聴した内容の記憶を呼び戻すために行っている既視聴部分の再生を、記憶が戻ってきた後も延々と行うことなく、即座に、新たな視聴に移ることが可能である。
【００５８】
さらに、操作部１２０で、経過時間に応じた、既視聴部分の再生パターンを設定できるので、視聴者の忘却の程度、再生の好み等、視聴者毎に最適な再生パターンを設定することができる。
【００５９】
また、本発明の目的は、前述した各実施の形態の機能を実現するソフトウェアのプログラムコードを記憶した記憶媒体を、システム或いは装置に供給し、そのシステム或いは装置のコンピュータ（またはＣＰＵやＭＰＵ等）が記憶媒体に格納されたプログラムコードを読み出し実行することによっても達成される。
【００６０】
この場合、記憶媒体から読み出されたプログラムコード自体が前述した各実施の形態の機能を実現することになり、そのプログラムコード及び該プログラムコードを記憶した記憶媒体は本発明を構成することになる。
【００６１】
また、プログラムコードを供給するための記憶媒体としては、例えば、フロッピー（登録商標）ディスク、ハードディスク、光磁気ディスク、ＣＤ−ＲＯＭ、ＣＤ−Ｒ、ＣＤ−ＲＷ、ＤＶＤ−ＲＯＭ、ＤＶＤ−ＲＡＭ、ＤＶＤ−ＲＷ、ＤＶＤ＋ＲＷ等の光ディスク、磁気テープ、不揮発性のメモリカード、ＲＯＭ等を用いることができる。または、プログラムコードをネットワークを介してダウンロードしてもよい。
【００６２】
また、コンピュータが読み出したプログラムコードを実行することにより、前述した各実施の形態の機能が実現されるだけではなく、そのプログラムコードの指示に基づき、コンピュータ上で稼動しているＯＳ（オペレーティングシステム）等が実際の処理の一部または全部を行い、その処理によって前述した各実施の形態の機能が実現される場合も含まれる。
【００６３】
さらに、記憶媒体から読み出されたプログラムコードが、コンピュータに挿入された機能拡張ボードやコンピュータに接続された機能拡張ユニットに備わるメモリに書き込まれた後、そのプログラムコードの指示に基づき、その拡張機能を拡張ボードや拡張ユニットに備わるＣＰＵ等が実際の処理の一部または全部を行い、その処理によって前述した各実施の形態の機能が実現される場合も含まれる。
【図面の簡単な説明】
【００６４】
【図１】本発明の実施の形態にかかる映像音声再生装置の構成を示す図である。
【図２】デジタルＴＶ１０で実行される映像再生処理を示すフローチャートである。
【図３】映像コンテンツの再生中断から再生再開するまでの経過時間と、この経過時間に応じた既に視聴した部分の映像コンテンツに対する再生方法との対応関係を含むテーブルを示す図である。
【図４】映像コンテンツの再生方法の具体例を説明する図である。
【図５】映像コンテンツの早送り再生方法を説明する図である。
【符号の説明】
【００６５】
１０  デジタルＴＶ
１００  ＣＰＵ
１１０  ＲＯＭ／ＲＡＭ部
１２０  操作部
１３０  ＩＣカード制御部
１４０  ＨＤＤインターフェース部
１５０  ＨＤＤ（ハードディスクドライブ）
１６０  ＣＰＵバス
１７０  リモコン受光部
１８０  計時部（リアルタイムクロック）
２００  チューナー部
２１０  デスクランブル部
２４０  デマルチプレクサ部
２５０  ビデオデータデコーダ部
２６０  オーディオデータデコーダ部
２７０  データストリーム処理部
２８０  画面構成部
２９０  表示制御部
３００  表示用メモリ
３１０  音声処理部
３２０  画像表示部
３３０  音声出力部
【図１】
2007323704.tif 000003
【図２】
2007323704.tif 000004
【図３】
2007323704.tif 000005
【図４】
2007323704.tif 000006
【図５】
2007323704.tif 000007